(57)【要約】【課題】  消費電力を最小化させながら、柔らかで明るい光を発生させることができる照明器具を提供すること。【解決手段】  光源で発生された光をガイドして出射する前面導光板（２）の背面には、光源（７，７ａ）から離れるほど深い複数の前面凹部（２２）が形成されている。前面導光板の背面に配置された背面導光板の前面には、複数の背面凹部（３２）が形成されている。反射板（４）は、背面導光板を通じて漏洩する光を背面導光板に反射する。この構成によって、光源で生成される光は、視野に刺激がない柔らかで明るい平滑性光に転換される。【選択図】    図１
2005216860.tif 000002
【特許請求の範囲】
【請求項１】
光源と、
前記光源の側方に配置され、前記光源から遠いほど深い複数の前面凹部が形成された背面を有し、前記光源の光をガイドして出射する前面導光板と、
前記光源の側方において前記第１導光板の背面に対面するように配置され、複数の背面凹部が形成された前面を有し、前記光源の光をガイドして出射する背面導光板とを含むことを特徴とする照明器具。
【請求項２】
前記光源の長手方向と平行に配置されながら前記光源をカバーするカバー部を更に含むことを特徴とする請求項１記載の照明器具。
【請求項３】
前記カバー部は、前記前面導光板と前記背面導光板を物理的に結合するようにスクリュー締結される支持部と、前記支持部と向い合いながら前記光源をカバーするランプカバーを含み、前記支持部と前記ランプカバーは磁気的に連結されることを特徴とする請求項２記載の照明器具。
【請求項４】
前記カバー部は、前記光源の長手方向と平行な開口部と、前記開口部をカバーする拡散部材とを更に含むことを特徴とする請求項３記載の照明器具。
【請求項５】
前記背面導光板の背面に配置され、前記背面導光板を通じて漏洩する光を前記背面導光板に反射する反射板を更に含むことを特徴とする請求項１記載の照明器具。
【請求項６】
前記前面凹部と前記背面凹部は、同じ方向に伸びていることを特徴とする請求項１記載の照明器具。
【請求項７】
前記前面凹部と前記背面凹部は、協働して空気層を区画することを特徴とする請求項１記載の照明器具。
【請求項８】
前記第１凹部と前記背面凹部は、互いに直交する方向に伸びていることを特徴とする請求項１記載の照明器具。
【請求項９】
前記光源の中心軸は、前記前面導光板と前記背面導光板が接する面の延長線上に配置されたことを特徴とする請求項１記載の照明器具。
【請求項１０】
前記前面導光板の厚さと前記背面導光板の厚さとの合計は、前記光源の径と同じであることを特徴とする請求項１記載の照明器具。
【請求項１１】
前記前面凹部の頂点内角は、約３５°であることを特徴とする請求項１記載の照明器具。
【請求項１２】
前記背面凹部の頂点内角は、約３５°であることを特徴とする請求項１記載の照明器具。
【発明の詳細な説明】
【技術分野】
【０００１】
本発明は、照明器具に係わり、より詳細には消費電力を最小化しかつ、柔らかくて明るい光を発する照明器具に関する。
【背景技術】
【０００２】
一般的に、照明器具としては、一つ又は複数の蛍光灯や電球などの光源をプラスチックのような材質の灯カバーの内部に装着して、前記灯カバーを通じて外部に光を発散するものや、複数の光源を装飾と結合したシャンデリアが知られている。
【発明の開示】
【発明が解決しようとする課題】
【０００３】
前記光源の光が直接的に、又は前記灯カバーを通して間接的に外部に提供されるため、光の波長が短くて一定距離内では明るく、距離が遠いほど暗くなるなどの問題点がある。又、光の明るさを高めるために複数の光源を用いなければならないので、消費電力が増加する問題点がある。又、光源の光がちらついて外部に出射されるので、長時間用いると人の目が疲れやすい問題点がある。
【０００４】
一般的な照明器具に採用される灯カバーは、光源から一定間隔に離隔されて光源の形状を隠蔽するので、全体的な照明器具が厚くなる。厚い照明器具は天井の低いる建築物に採用され難く、用途が限定されるという問題点がある。
【０００５】
又、一般的な照明器具に具備される灯カバー内に昆虫などの進入によって発生する残留物の累積によって光の明るさが弱くなり、定期的に灯カバーを解体して掃除しなければならず煩雑である。
【０００６】
本発明は、このような従来の問題点を解決するためなされたものであって、その目的は、少ない消費電力で明るい光を発する照明器具を提供することにある。また、消費者の目を疲れさせず、可視距離を増加させることができ、四方に均一な光を発する照明器具を提供することを目的とする。
【課題を解決するための手段】
【０００７】
前記した本発明の目的を実現するために、一実施例による照明器具は、光源、前面導光板及び背面導光板を含む。前記前面導光板は、側部に配置される前記光源から遠いほど深い複数の前面凹部が形成された背面を有し、前記光源の光をガイドして出射する。前記背面導光板は、複数の背面凹部の形成された前面を有し、前記前面導光板の背面に配置され、前記光源の光をガイドして出射する。
【０００８】
前記照明器具は、前記光源の長手方向と平行に配置されながら前記光源をカバーするカバー部を更に含むことが望ましい。ここで、前記カバー部は、前記前面導光板と背面導光板を物理的に結合するようにスクリュー締結される支持部と、前記支持部と向い合いながら前記光源をカバーするランプカバーを含み、前記支持部とランプカバーは磁気的に連結されることを一特徴とする。
【０００９】
一例では、前記カバー部には、前記光源の長手方向と平行である開口部が形成され、前記カバー部は、前記開口部をカバーする拡散部材を更に含む。
【００１０】
前記照明器具は、前記背面導光板の背面に配置され、前記背面導光板を通じて漏洩する光を前記背面導光板に反射する反射板を更に含むことが望ましい。
一例では、前記前面凹部と背面凹部は、同じ方向に伸びている。一例では、前記前面凹部と背面凹部は協働して空気層を区画する。
【００１１】
一例では、前記前面凹部と背面凹部は、互いに直交する方向に伸びている。一例では、前記光源の中心軸は、前記前面導光板と背面導光板が接する面の延長線上に配置されている。前記前面導光板の厚さと前記背面導光板の厚さとの合計は、前記光源の径と同じであることが望ましい。前記前面凹部の頂点内角は、約３５°であることが望ましい。前記背面凹部の頂点内角は、約３５°であることが望ましい。
【００１２】
一例では、複数の第１凹部の各々は、光源の長手方向に直交する方向に延びる溝であり、複数の第２凹部の各々は、複数の第１凹部と直交する方向に延びて、均一な深さと均一な幅を有する溝である。
【００１３】
一例では、複数の第１凹部及び複数の第２凹部は、光源の長手方向に直交する方向に延びる溝であり、各第２凹部の幅と深さは光源から遠いほど大きい。
【発明の効果】
【００１４】
本発明の照明器具によると、従来方式の照明器具とは違って、透明アクリル板などの板の両面から光を照射する方式であるので、光源から発生される光を観察者の視野に刺激が無い柔らかで明るい平滑性光（smooth light or evenness light）を提供することができる。
【発明を実施するための最良の形態】
【００１５】
（実施例１）
図１は、本発明の第１実施例による照明器具（面状発光装置）の分解斜視図である。図２は、図１に示した照明器具の斜視図であり、図３は、横方向と縦方向の前面凹部及び背面凹部の結合される状態を示した拡大図である。図４は、図１に示した前面導光板の正面図である。図５は、図４に示した前面導光板のＩ−Ｉ’に沿った断面図である。図６乃至８は、図４に示した前面導光板のＩＩ−ＩＩ’、ＩＩＩ−ＩＩＩ’及びＩＶ−ＩＶ’に沿った断面図である。図９は、図１に示した背面導光板の正面図である。図１０は、図９に示した背面導光板のＶ−Ｖ’に沿った断面図である。図１１は、図９に示した背面導光板のＩＶ−ＩＶ’に沿った断面図である。
【００１６】
図１乃至図１１を参照すると、本発明の第１実施例による照明器具は前面ケース１、前面導光板２、背面導光板３、背面ケース５、第１ランプ７及び第２ランプ７ａ、反射シート４、上部カバー６１及び下部カバー６２を含む。本明細書では照明器具が光を出射する方向（ｚ方向）を「前」と呼ぶことがある。
【００１７】
前記前面ケース１は、ＰＭＭＡ（ポリメチルメタクリレート）のような透明樹脂製である。前記前面ケース１には前面導光板２、背面導光板３、反射シート４、第１ランプ７及び第２ランプ７ａが収納され、前記背面導光板３の背面に配置された背面ケース５と締結した後、前記前面ケース１及び背面ケース５の外側の上部カバー６１及び下部カバー６２に結合される。
【００１８】
前記前面ケース１には、透明樹脂製で中央部に空間形態の挿入部１２が形成され、前記前面導光板２及び背面導光板３、第１ランプ７及び第２ランプ７ａを挿入設置される。前記前面ケース１には上部外面及び下部外面に背面ケース５と、第１スクリュー８及び第２スクリュー８ａとの組立て及び結合のための第１スクリュー締結ホール１３及び第２スクリュー締結ホール１４がそれぞれ形成され、左右内部の側面に前記第１ランプ７及び第２ランプ７ａが電源に連結された状態で外部に電源を供給するための電源コード１５が接地される。
【００１９】
図４及び図５に示したように、前記前面導光板２には光を反射できるように透明樹脂板本体１１の前面２６に複数の前面凹部２２が形成される。複数の前面凹部２２は一定間隔をあけてｘ軸に沿ってすなわち第１ランプ７及び第２ランプ７ａの長手方向と直交するように配列されている。
【００２０】
各前面凹部２２は、図５乃至図８に示したように、本体２１の中央部に近づくほど深く彫られている。具体的には、各前面凹部２２は、各前面凹部２２の両端部分である第１凹部２３と、第１凹部２３間の第２凹部２４とを有し、第１凹部２３及び第２凹部２４は本体２１の中央部に近いほど徐々に深い。図５の例では、第１凹部２３の深さは本体２１の中央部に向かって直線的に変更されており、第２凹部２４の深さは本体２１の中央部に向かって曲線的に変更されている。第１ランプ７及び第２ランプ７ａから伝達される光は前記第１凹部２３及び第２凹部２４を通じて四方に均一に反射される。これにより、柔らかくて明るい平滑性光が前面導光板２のほぼ全前面から放射される。
【００２１】
第１ランプ７及び第２ランプ７ａから遠距離に配置された前記第２凹部２４が最も深いので、第１ランプ７及び第２ランプ７ａから遠いにもかかわらず、深い凹部によって明るい光が前方に（ｚ方向に）放射される。
【００２２】
前記第１凹部２３及び第２凹部２４の形成の結果として、前記前面凹部２２の枠の外面部分すなわち前面突出部２５が形成される。したがって、前面突出部２５は前面導光板２の前面と面一である。前面突出部２５によって、第１ランプ７及び第２ランプ７ａの光は遠くに伝達される役割を果たす。
【００２３】
前記前面導光板２の上下左右の端部に一定の間隔２７、２７ａ、２７ｂ、２７ｃを維持して前記前面凹部２２が形成され、前面導光板２から外部に提供される光の乱反射などを防止する。
【００２４】
図９に示したように、前記背面導光板３には光を前記前面導光板２に反射できるように前面導光板２の背面に配置した状態で透明樹脂製の本体３１の前面３４に複数の背面凹部３２が形成される。複数の背面凹部３２は一定間隔をあけてｙ軸に沿ってすなわち第１ランプ７及び第２ランプ７ａと平行に配列されている。各背面凹部３２は均一な深さと均一な幅とを有してもよい。（図９、１１参照）
【００２５】
図１０及び図１１に示したように、前記背面凹部３２は透明樹脂製の本体３１の前面をＶ字状に削ることで形成される。第１ランプ７及び第２ランプ７ａから伝達される光は前記背面凹部３２を通じて強く四方に均一に反射される。これにより、前記前面導光板２の前面凹部２２に強い光が伝達される。
【００２６】
前記背面凹部３２の形成の結果として、背面凹部３２の枠の外面すなわち背面突出部３３が形成される。背面突出部３３は背面導光板３の前面と面一である。背面突出部３３によって、光は前面導光板２の方向により遠く伝達される。
【００２７】
前記背面導光板３の上下左右の端部に一定長さの間隔３５、３５ａ、３５ｂ、３５ｃを維持した状態で背面凹部３２が形成され、背面導光板３から外部に放射される光の乱反射などを防止する。
【００２８】
前記背面導光板３の背面には、光を反射する反射シート４が付着されている。反射シート４は、第１ランプ７及び第２ランプ７ａから提供される光を反射して前記背面導光板３に伝達する。前記反射シート４の背面には前面ケース１と、第１スクリュー８ｂ及び第２スクリュー８ｃと結合される第１スクリュー締結ホール５２及び第２スクリュー締結ホール５３のそれぞれが上下で形成された透明樹脂製の背面ケース５が配置される。
【００２９】
前記前面ケース１と第１スクリュー締結ホール５２及び第２スクリュー締結ホール５３を通じて前記第１スクリュー８ｂ及び第２スクリュー８ｃが組み立てられ、前記前面ケース１及び背面ケース５の端部の外面にアルミニウム又は金属材質の上部カバー６１及び下部カバー６２を結合して照明器具が製作される。
【００３０】
図１では、前記前面導光板に形成された前面凹部と前記背面導光板に形成された背面凹部が直交するように両導光板が配置されることを示したが、前記前面導光板に形成された前面凹部と前記背面導光板に形成された凹部が互いに平行であることもできる。
【００３１】
以上で説明したように、本発明の第１実施例による透明樹脂製の板の両側面でランプを照射するようにすることで、外部に発散される光の明るさを最大化することができ、使用者の目が疲れない柔らかな光を均一に提供することができる。又、可視距離を増加させることができ、消費電力の最小化ができ、照明装置を薄くすることができる。
【００３２】
（実施例２）
図１２は、本発明の第２実施例による照明器具の分解斜視図である。特に、複数の前面導光板と複数の背面導光板を有する照明器具を示す。
【００３３】
図１２を参照すると、本発明の第２実施例による照明器具は前面ケース１、第１前面導光板２、第２前面導光板２ａ、第２背面導光板３ａ、背面ケース５、第１ランプ７及び第２ランプ７ａ、反射シート４、上部カバー６１及び下部カバー６２を含む。前記の図１と比較して同じ構成要素に対しては同じ図面符号を付与し、その詳細な説明は省略する。
【００３４】
前記第２前面導光板２ａは、前記第１背面導光板３の背面に配置される。前記第２背面導光板３ａは、前記第２前面導光板２ａの背面に配置される。前記した第２前面導光板２ａと第２背面導光板３ａによってより平滑な光を出射することができる。
【００３５】
前記第２前面導光板２ａに形成された前面凹部は、前記第１前面導光板２に形成された前面凹部と平行であり、前記第２背面導光板３ａに形成された背面凹部は前記第１背面導光板３に形成された背面凹部と平行である。
【００３６】
図１２では、第１前面導光板２に形成された前面凹部と第１背面導光板３に形成された背面凹部が互いに直交していることを示したが、第１前面導光板２に形成された前面凹部と第１背面導光板３に形成された背面凹部が互いに平行であることもできる。
【００３７】
又、図１２では、第２前面導光板２ａに形成された前面凹部と第２背面導光板３ａに形成された背面凹部が互いに直交しているが、第２前面導光板２ａに形成された前面凹部と第２背面導光板３ａに形成された背面凹部は互いに平行であることもできる。
【００３８】
（実施例３）
図１３は、本発明の第３実施例による照明器具の分解斜視図である。特に、二つの前面導光板を有する照明器具を示す。
【００３９】
図１３を参照すると、本発明の第３実施例による照明器具は前面ケース１、第１前面導光板２、第２前面導光板２ａ、背面ケース５、第１ランプ７及び第２ランプ７ａ、反射シート４、上部カバー６１及び下部カバー６２を含む。前記図１と比較して同じ構成要素に対しては同じ図面符号を付与し、その詳細な説明は省略する。
【００４０】
前記第１前面導光板２の背面には、横方向に形成された前面凹部２２が形成され、前記第２前面導光板２２ａの前面には横方向に形成された背面凹部２２ａが形成される。前記前面凹部２２と背面凹部２２ａは前記第１ランプ７及び第２ランプ７ａに近いほどＶ字形状の凹部が浅く、前記第１ランプ７及び第２ランプ７ａから遠いほど深いＶ字形状の凹部が形成される。
【００４１】
前記第１前面導光板２と第２前面導光板２ａを合致した厚さは第１ランプ７の厚さて又は第２ランプ７ａの厚さと同じであることが望ましい。又、前記第１前面導光板２と第２前面導光板２ａが接する面の延長線上に前記第１ランプ７及び第２ランプ７ａの中心軸が配置されることが望ましい。
【００４２】
以上では、前面ケースと背面ケースを配置して照明器具を構成したものを説明したが、図１４のように、前記した前面ケースと背面ケースを用いなく、別途のフレームを配置させて照明器具を構成することもできる。
【００４３】
（実施例４）
図１１は、本発明による照明器具の分解斜視図である。特に、図１４を参照すると、本発明の第４実施例による照明器具は左側フレーム９１、右側フレーム９２、第１前面導光板２、第１背面導光板３、第２前面導光板２ａ、第２背面導光板３ａ、第１ランプ７及び第２ランプ７ａ、反射シート４、上部カバー６１及び下部カバー６２を含む。前記の図１と比較して同じ構成要素に対しては同じ図面符号を付与し、その詳細な説明は省略する。
前記左側フレーム９１及び右側フレーム９２は、カバー及び支持台で構成される。
【００４４】
前記左側フレーム９１及び右側フレーム９２の内部に第１ランプ７及び第２ランプ７ａを内在した状態で、前面導光板２、背面導光板３及び反射シート４を前記左側フレーム９１及び右側フレーム９２の内面に組み立てた状態で左側フレーム９１及び右側フレーム９２の第１スクリュー締結６３ａ及び第２スクリュー締結部６４ａに第１スクリュー８ｄ及び第２スクリュー８ｅを結合して照明器具を製作する。
もちろん、左側フレーム９１及び右側フレーム９２の外面に別途に装飾９３、９４を付着して照明器具を製作することもできる。
【００４５】
図１４では、横方向の前面凹部が形成された前面導光板と縦方向の背面凹部が形成された背面導光板が配置されたことを示したが、図１３で説明したように二枚の前面導光板、即ち、横方向に形成された前面凹部が形成された二枚の前面導光板を配置することもできる。
【００４６】
以上で説明したように、本発明の第１実施例乃至第４実施例による照明器具は、前面導光板２には前面凹部２２及び前面突出部２５が形成され、背面導光板３には背面凹部３２及び背面突出部３３がそれぞれ形成され、反射シート４によってランプから発散した光を柔らかながら均一で、明るい平滑性光に転換して外部に出射する。
【００４７】
(実施例５)
図１５は、本発明の第５実施例による照明器具の斜視図である。図１５を参照すると、本発明の第５実施例による照明器具は、ｘ−ｙ平面上に配置された導光部（ＬＧＰ）、前記導光部（ＬＧＰ）の両側エッジ部に配置されながらｙ軸方向に延びられた収納部（ＲＣＳ）を含む。
【００４８】
前記導光部（ＬＧＰ）は、互いに重なる二枚の導光板で構成され、各導光板の接する面には収納部（ＲＣＳ）から出射された光をより柔らかく均一な平滑性光に変換させるために、収納部（ＲＣＳ）の長手方向とは垂直な、即ち、光の出射方向と平行なＶ字形状の溝を有する。前記Ｖ字形状の溝は、前記収納部（ＲＣＳ）のランプに近いほど浅く、前記収納部（ＲＣＳ）から遠いほど深い。
【００４９】
前記収納部（ＲＣＳ）は、外部から提供される電源を前記ランプに供給するランプワイヤー、前記ランプをガイドし、前記ランプの一部を露出させながら導光部（ＬＧＰ）のエッジ部に固定させるカバー部を含む。前記ランプは導光部（ＬＧＰ）のエッジ部に対応する一字型ランプであることもでき、前記導光部（ＬＧＰ）のエッジ部に対応して配列された複数のＬＥＤであることもできる。図示していないが、外部から提供される電源をランプ用電源に変換させる電源変換装置を更に含むことは自明である。勿論、前記電源変換装置は安定化装置を更に含むことは自明である。
【００５０】
図１５では、前記収納部（ＲＣＳ）が前記導光部（ＬＧＰ）の両側エッジ部のみにそれぞれ配置されたものを示したが、前記収納部（ＲＣＳ）は前記導光部（ＬＧＰ）の背面に配置され、前記導光部（ＬＧＰ）を収納しながら前記導光部（ＬＧＰ）の前面部を露出させるように拡張して具現することもできる。
【００５１】
図１５に示した照明器具は、−ｚ軸方向に引出されたワイヤー（図示せず）などを通じて天井などに固定され、＋ｚ軸方向に平滑性光を発散する。
【００５２】
図１６は、本発明の第５実施例による照明器具の分解斜視図である。特に、エッジ型ランプカバーを有する照明器具を示す。図１７は、図１６に示した照明器具の断面図である。図１８は、図１６に示した前面凹部と背面凹部を説明するための抜粋斜視図である。図１８は、図１６に示した照明器具による光経路の概略図である。
【００５３】
図１６乃至図１９を参照すると、本発明の第５実施例による照明器具１００は、第１ランプ１１０、第２ランプ１２０、前面導光板１３０、背面導光板１４０、反射板１５０、第１カバー部１６０及び第２カバー部１７０を含む。説明の便宜のために第１ランプ１１０及び第２ランプ１２０、第１カバー部１６０及び第２カバー部１７０は相対的に誇張して示した。
【００５４】
前記第１ランプ１１０は、前記前面導光板１３０の一側に配置され、前記第２ランプ１２０は、前記前面導光板１３０の他側に配置される。前記第１ランプ１１０と第２ランプは前記前面導光板１３０を基準として互いに向い合う。
【００５５】
前記前面導光板１３０は、側部に配置される前記第１ランプ１１０及び第２ランプ１２０から遠いほど深い複数の前面凹部１３２が背面に形成され、前記第１ランプ１１０及び第２ランプ１２０から発生された光をガイドして出射する。前記前面導光板１３０の両エッジ領域にはスクリュー締結のための複数のスクリュー締結ホールが形成される。
【００５６】
図１８に示したように、前記前面凹部１３２は前記ランプ１１０から遠いほど深い。ただし、前面凹部１３２の頂点の内角（θ）は一定であり、前面凹部１３２は一種の三角形空間を形成する。前記頂点の内角（θ）は１８０°未満の多様な角度を有することができる。望ましくは、前記頂点の内角（θ）は１５°〜６５°である。より望ましくは、前記頂点の内角（θ）は３５°である。
【００５７】
前記背面導光板１４０は、側部に配置される前記第１ランプ１１０及び第２ランプ１２０から遠いほど深い複数の背面凹部１４２が背面に形成され、前記第１ランプ１１０及び第２ランプ１２０から発生された光をガイドして前記前面導光板１３０に出射する。前記背面導光板１４０の両エッジ領域にはスクリュー締結のための複数のスクリュー締結ホールが形成される。
【００５８】
図１８に示すように、前記背面凹部１４２は一定の頂点内角（θ）を維持しながら、前記ランプ１１０から離れるほど、深くなるように形成される。前記背面凹部１４２が一種の三角形形状を定義しているので、前記頂点内角（θ）は１８０°未満の多様な角度を有することができる。好ましくは、前記した頂点内角（θ）は、１５°〜６５°の角度を有する。より好ましくは、前記した頂点内角（θ）は３５°の角度を有する。
【００５９】
図１９に示すように、前面凹部１３２とそれに対向する背面凹部１４２は協働して空気層を区画する。空気層の屈折率は、前記前面導光板１３０の屈折率や背面導光板１４０の屈折率と異なるので、第１及び第２ランプ１１０、１２０から提供される光を屈折させて、より柔らかな平滑性光を出射することができる。
【００６０】
前記反射板１５０は前記背面導光板１４０の背面に配置され、前記背面導光板１４０を通じて漏洩する光を前記背面導光板１４０に反射する。前記した反射板の代わりに、フレキシブルな特性を有する反射シートが配置されることができるのは自明である。
【００６１】
前記第１カバー部１６０は、第１支持部１６２及び第１ランプカバー１６４を含み、前記第１ランプ１１０を収納して、前記反射板１５０、背面導光板１４０、及び前面導光板１３０を結合する。前記第１支持部１６２と第１ランプカバー１６４は、スクリュー、フック、又は磁石を用いて締結されることもできる。前記第１支持部１６２には、複数のスクリュー締結ホールが形成される。
【００６２】
具体的に、図１７に示すように、前記反射板１５０を経由して背面導光板１４０に接する面には、前面導光板１３０を経由して挿入されるスクリューとの締結のためのスクリュー締結ホールが形成される。又、図１７に示すように、前記反射板１５０で一定間隔離隔する突出部には、背面導光板１４０を経由して前面導光板１３０とのスクリュー締結のためのスクリュー締結ホールが形成される。これによって、−ｚ軸方向で照明器具１００を観察すると、スクリューのヘッドや本体が観察されるが、ｚ軸方向で照明器具１００を観察すると、第１ランプカバー１６４によりスクリューのヘッドや本体は観察されない。
【００６３】
図示していないが、前記第１カバー部１６０には、前記第１ランプ１１０に電源を供給する電源供給装置、前記電源供給装置と第１ランプ１１０を連結するランプワイヤーが収納される。
【００６４】
前記第２カバー部１７０は、第２支持部１７２及び第２ランプカバー１７４を含み、前記第２ランプ１２０を収納し、前記反射板１５０、背面導光板１４０、及び前面導光板１３０を結合する。前記第２支持部１７２と第２ランプカバー１７４は、スクリューを用いて締結されることもでき、フック方式を用いて結合されることもでき、磁石を用いて締結されることもできる。前記第２支持部１７２には、複数のスクリュー締結ホールが形成される。
【００６５】
具体的に、前記反射板１５０を経由して背面導光板１４０に接する面には、前面導光板１３０を経由して挿入されるスクリューとの締結のためのスクリュー締結ホールが形成される。又、前記反射板１５０で一定間隔離隔する突出部には、背面導光板１４０を経由して前面導光板１３０とのスクリュー締結のためのスクリュー締結ホールが形成される。これによって、−ｚ軸方向で照明器具１００を観察すると、スクリューのヘッドや本体が観察されるが、ｚ軸方向で照明器具１００を観察すると、第２ランプカバー１７４によりスクリューのヘッドや本体は観察されない。
【００６６】
図示していないが、第２カバー部１７０には、前記第２ランプ１２０に電源を供給する電源供給装置、前記電源供給装置と第２ランプ１２０を連結するランプワイヤーが収納される。
【００６７】
図１６では、前記前面凹部１３２と背面凹部１４２は、同じ方向に伸びることを説明したが、互いに直交するように配置されることもできる。
前記した本発明の第５実施例による照明器具は、一側に配置された反射板を含むので、前記反射板が配置された面を建築物の壁や天井に密着させて用いられることが好ましい。
【００６８】
（実施例６）
図２０は、本発明の第６実施例による照明器具の斜視図である。図２０を参照すると、本発明の第６実施例による照明器具はｘ−ｙ平面上に配置された二つの導光部（ＬＧＰ）、前記導光部（ＬＧＰ）間に配置されながらｙ軸方向に延びられた収納部（ＲＣＳ）を含む。前記導光部（ＬＧＰ）は、互いに重なる二枚の導光板で構成され、各導光板の接する面には収納部（ＲＣＳ）から出射された光をより柔らかく均一な平滑性光に変換させるためにランプ部（ＬＰ）の長手方向と垂直に、即ち、光の出射方向と平行にＶ字形状の溝が形成される。前記Ｖ字形状の溝は前記収納部（ＲＣＳ）のランプに近いほど浅く、前記収納部（ＲＣＳ）から遠いほど深い。
【００６９】
前記収納部（ＲＣＳ）は、ランプ、外部から提供される電源を前記ランプに供給するランプワイヤー、前記ランプをガイドし、前記ランプの一部を露出させながら導光部（ＬＧＰ）のエッジに固定させるカバー部を含む。前記ランプは、導光部（ＬＧＰ）のエッジに対応する一字型ランプであることもでき、前記導光部（ＬＧＰ）のエッジに対応して配列された複数のＬＥＤであることもできる。図示していないが、外部から提供される電源をランプ用電源に変換させる電源変換装置を更に含むことは自明である。勿論、前記電源変換装置は、安定化装置を更に含むことは自明である。
【００７０】
図２０では、前記収納部（ＲＣＳ）が前記導光部（ＬＧＰ）間に配置されたことを示したが、前記収納部（ＲＣＳ）は前記導光部（ＬＧＰ）の背面に配置され、前記導光部（ＬＧＰ）を収納しながら前記導光部（ＬＧＰ）の前面部を露出させるように拡張させて具現することもできる。
【００７１】
図２０に示した照明器具は、−ｚ軸方向に引出されたワイヤー（図示せず）などを通じて天井などに固定され、＋ｚ軸方向に平滑性光を発散する。
【００７２】
図２１は、本発明の第６実施例による照明器具の分解斜視図である。特に、センター型ランプカバーを有する照明器具の一例を図示する。図２２は、図２１に図示された照明器具の断面図である。
【００７３】
図２１及び図２２を参照すると、本発明の第６実施例による照明器具２００は、ランプ２１０、第１前面導光板２２０、第２前面導光板２３０、第１背面導光板２４０、第２背面導光板２５０、及びカバー部２６０を含む。説明の便宜のために、ランプ２１０及びカバー部２６０は相対的に誇張して示した。
【００７４】
前記ランプ２１０は、前記第１前面導光板２２０と第２前面導光板２３０との間に配置され、前記第１背面導光板２４０と第２背面導光板２５０との間に配置される。前記第１前面導光板２２０の厚さと第２前面導光板２３０の厚さとを合算した値は、ランプ２１０の直径と同じであることが好ましい。
【００７５】
前記第１前面導光板２２０の背面には、側部に配置されるランプ２１０から離れるほど深くなる複数の前面凹部２２２が形成され、前記ランプ２１０で発生された光をガイドして出射する。前記第１前面導光板２２０のエッジ領域、即ち、前記ランプ２１０に近接する領域には、スクリュー締結のための複数のスクリュー締結ホールが形成される。
【００７６】
前記第２前面導光板２３０の背面には、側部に配置されるランプ２１０から離れるほど、深さが深くなる複数の前面凹部２３２が形成され、前記ランプ２１０で発生された光をガイドして出射する。前記第２前面導光板２３０のエッジ領域、即ち、前記ランプに近接する領域には、スクリュー締結のための複数のスクリュー締結ホールが形成される。
【００７７】
前記第１背面導光板２４０の背面には、側部に配置される前記ランプ２１０から離れるほど、深さが深くなる複数の背面凹部２４２が形成され、前記ランプ２１０で発生された光をガイドして前記第１前面導光板２２０に出射する。前記第１背面導光板２４０のエッジ領域、即ち、前記ランプに近接する領域には、スクリュー締結のための複数のスクリュー締結ホールが形成される。
【００７８】
前記第２背面導光板２５０の背面には、側部に配置される前記ランプ２１０から離れるほど、深さが深くなる複数の背面凹部２５２が形成され、前記ランプ２１０で発生された光をガイドして前記第２前面導光板２３０に出射する。前記第２背面導光板２５０のエッジ領域、即ち、前記ランプに近接する領域には、スクリュー締結のための複数のスクリュー締結ホールが形成される。
前記第１前面導光板２２０に形成された第１前面凹部２２２と前記第１背面導光板２４０に形成された第１背面凹部２４２は、協働して空気層を区画する。これによって、前記空気層の屈折率は、前記第１前面導光板２２０の屈折率や第１背面導光板２４０の屈折率と異なるので、ランプ２１０から提供される光を屈折させて、より柔らかな平滑性光を出射させる。
【００７９】
又、前記第２前面導光板２３０に形成された第２前面凹部２３２と前記第２背面導光板２５０に形成された第２背面凹部２５２は、協働して空気層を区画する。前記空気層の屈折率は、前記第２前面導光板２５０の屈折率や第２背面導光板２５０の屈折率と異なるので、前記ランプ２１０から提供される光を屈折させて、より柔らかな平滑性光を出射させる。
【００８０】
前記カバー部２６０は、支持部２６２及びランプカバー２６４を含み、前記ランプ２１０を収納し、前記第１背面導光板２４０及び第１前面導光板２２０を結合し、第２背面導光板２５０及び第２前面導光板２３０を結合する。前記支持部２６２とランプカバー２６４のそれぞれには、ランプ２１０の長手方向と平行に伸張される開口部が形成される。前記した開口部により前記ランプ２１０から出射された光は、前記開口部を通じて外部に出射される。
【００８１】
前記支持部２６２とランプカバー２６４は、スクリューを用いて締結されることもでき、フック方式を用いて結合されることもでき、磁石を用いて締結されることもできる。前記支持部２６２には、複数のスクリュー締結ホールが形成される。
【００８２】
具体的に、図２１に示すように、第１及び第２背面導光板２４０、２５０に接する面には、第１及び第２前面導光板２２０、２３０のそれぞれを経由して挿入されるスクリューとの締結のためのスクリュー締結ホールが形成される。
【００８３】
又、図２１に示すように、前記第１及び第２背面導光板２４０、２５０で一定間隔離隔する突出部には、第１及び第２背面導光板２４０、２５０を経由して第１及び第２前面導光板２２０、２３０のそれぞれとのスクリュー締結のためのスクリュー締結ホールが形成される。
【００８４】
これによって、−ｚ軸方向で照明器具２００を観察すると、スクリューのヘッドや本体が観察されるが、ｚ軸方向で照明器具２００を観察すると、ランプカバー２６２によりスクリューのヘッドや本体は観察されない。
【００８５】
図示していないが、前記カバー部２６０には、前記ランプ２１０に電源を供給する電源供給装置、前記電源供給装置とランプ２１０とを連結するランプワイヤーが収納される。
【００８６】
図２３は、図２１に図示されたランプカバーを説明するための背面斜視図である。図２３を参照すると、ランプカバー２６４は、本体部２６４ａ、第１及び第２ガイド部２６４ｃ、２６４ｄ、第１磁石２６４ｅ、スクリュー２６４ｆ、及び拡散板２６４ｇを含む。
【００８７】
前記本体部２６４ａには、前記第１及び第２ガイド部２６４ｃ、２６４ｄの縦端部と隣接するように開口部２６４ｂが形成される。前記開口部２６４ｂは、前記ランプ２１０の長手方向と平行に伸張される。前記本体部２６４ａは、アルミニウムのように光が透過されることを遮断する材質からなる。前記した開口部２６４ｂの形成により、前記ランプ２１０から出射された光は、前記本体部２６４ａを経由して外部に出射される。
【００８８】
前記第１及び第２ガイド部２６４ｃ、２６４ｄは、互いに平行に前記本体部２６４ａのエッジ領域に配置される。前記第１及び第２ガイド部２６４ｃ、２６４ｄは、後に締結される前記スクリュー２６４ｆの螺子山役割を果たす。
【００８９】
前記第１磁石２６４ｅには、ホールが形成される。スクリューは前記ホールを通じて挿入され、前記第１及び第２ガイド部２６４ｃ、２６４ｄに締結される。前記第１磁石２６４ｅに対応して、前記支持部２６２には、第２磁石が具備されることが好ましい。
【００９０】
前記拡散板２６４ｇは、前記本体部２６４ａに形成された開口部２６４ｂに配置される。前記拡散板２６４ｇの一側エッジ領域には、２つのガイド溝が形成され、前記第１及び第２ガイド部２６４ｃ、２６４ｄに嵌め込まれる。勿論、前記拡散板２６４ｇの他側エッジ領域にも２つのガイド溝が形成される。図２１では、リジッドタイプの拡散板が開口部に対応して配置されたことを図示したが、フレキシブルな拡散シートが開口部に対応して配置されることもできる。
【００９１】
前記した本発明の第６実施例による照明器具によると、第１及び第２前面導光板と第１及び第２背面導光板を通じて、平滑性光が出射されるので、建築物の天井から一定間隔離隔し配置されるシャンデリアとして用いられることが好ましい。前記シャンデリアとして用いられる場合には、前記カバー部に収納される電源供給装置を離脱させて天井のような部材に付着させ、ランプワイヤーのみを引き出して、前記ランプに連結することが好ましい。
【００９２】
（実施例７）
図２４は、本発明の第７実施例による照明器具の分解斜視図である。特に、センター型ランプカバーを有する照明器具の他の例を図示する。図２５は、図２４に図示された照明器具の断面図である。
【００９３】
図２４及び図２５を参照すると、本発明の第７実施例による照明器具３００は、ランプ２１０、第１前面導光板２２０、第２前面導光板２３０、第１背面導光板２４０、第２背面導光板２５０、反射板３６０、及びカバー部３７０を含む。説明の便宜のためにランプ２１０及びカバー部３７０は相対的に誇張して示したし、前記した図２１と比較する時、同じ構成要素には同じ図面符号を付与し、その重複説明は省略する。
【００９４】
前記反射板３６０は、前記第１及び第２背面導光板２４０、２５０の背面に配置され、前記第１及び第２背面導光板２４０、２５０を通じて漏洩する光を前記第１及び第２背面導光板２４０、２５０に反射する。
【００９５】
前記カバー部３７０は支持部３７２及びランプカバー３７４を含み、前記ランプ２１０を収納し、前記第１背面導光板２４０及び第１前面導光板２２０を結合し、前記第２背面導光板２５０及び第２前面導光板２３０を結合する。前記支持部３７２とランプカバー３７４はスクリューを用いて締結されることもでき、フック方式を用いて結合されることもでき、磁石を用いて締結されることもできる。前記支持部３７２には、複数のスクリュー締結ホールが形成される。
【００９６】
前記した本発明の第７実施例による照明器具によると、一側に反射板が配置されるので、前記反射板が配置された面を建築物の壁や天井に密着させ用いられることが好ましい。
【００９７】
（実施例８）
図２６は、本発明の第８実施例による照明器具の斜視図である。図２６を参照すると、本発明の第８実施例による照明器具はｘ−ｙ平面上に配置された導光部（ＬＧＰ）、前記導光部（ＬＧＰ）間に配置されながらｙ軸方向に延びられた収納部（ＲＣＳ）を含む。
【００９８】
前記導光部（ＬＧＰ）は、互いに重なる二枚の導光板で構成され、各導光板の接する面には収納部（ＲＣＳ）から出射された光をより柔らかく均一な平滑性光に変換させるためにランプ部（ＬＰ）の長手方向と垂直に、即ち、光の出射方向と平行にＶ字形状の溝が形成される。前記Ｖ字形状の溝は前記収納部（ＲＣＳ）のランプに近いほど浅く、前記収納部（ＲＣＳ）から遠いほど深い。
【００９９】
前記収納部（ＲＣＳ）は、ランプ、外部から提供される電源を前記ランプに供給するランプワイヤー、前記ランプをガイドし、前記ランプの一部を露出させながら導光部（ＬＧＰ）のエッジに固定させるカバー部を含む。前記ランプは、導光部（ＬＧＰ）のエッジに対応する一字型ランプであることもでき、前記導光部（ＬＧＰ）のエッジに対応して配列された複数のＬＥＤであることもできる。図示していないが、外部から提供される電源をランプ用電源に変換させる電源変換装置を更に含むことは自明である。勿論、前記電源変換装置は、安定化装置を更に含むことは自明である。
【０１００】
図２６では、前記収納部（ＲＣＳ）が前記導光部（ＬＧＰ）の一側エッジ部のみに配置されたことを示したが、前記収納部（ＲＣＳ）は前記導光部（ＬＧＰ）の背面に配置され、前記導光部（ＬＧＰ）を収納しながら前記導光部（ＬＧＰ）の前面部を露出させるように拡張させて具現することもできる。
【０１０１】
図２６に示した照明器具に−ｚ軸方向にワイヤー（図示せず）が引出されると、天井などに固定され、＋ｚ軸方向に平滑性光を発散する。また、図２６に示した照明器具に−ｘ軸方向にワイヤー（図示せず）が引出されると、天井などに固定され、＋ｘ軸方向、＋ｚ軸方向及び−ｚ軸方向に平滑性光を発散する。
【０１０２】
図２７は、本発明の第８実施例による照明器具の分解斜視図である。特に、エッジ型ランプカバーを有する照明器具の例を図示する。図２７を参照すると、本発明の第８実施例による照明器具４００は、ランプ４１０、前面導光板４２０、背面導光板４３０、及びカバー部４４０を含む。説明の便宜のために、ランプ４１０と前面導光板４２０、背面導光板４３０及びカバー部４４０は相対的に誇張して示した。
前記ランプ４１０は、前記前面導光板４２０の一側に配置される。
【０１０３】
前記前面導光板４２０は、側部に配置される前記ランプ４１０から離れるほど、深さが深くなる複数の前面凹部４２２が背面に形成され、前記ランプ４１０で発生された光をガイドして出射する。前記前面導光板４２０のエッジ領域には、スクリュー締結のための複数のスクリュー締結ホールが形成される。
【０１０４】
前記背面導光板４３０は、側部に配置される前記ランプ４１０で離れるほど、深さが深くなる複数の背面凹部４３２が背面に形成され、前記ランプ４１０で発生された光をガイドして前記前面導光板４２０に出射する。前記背面導光板４２０の両エッジ領域には、スクリュー締結のための複数のスクリュー締結ホールが形成される。
【０１０５】
前記前面凹部４２２と背面凹部４３２は、協働して空気層を区画する。前記空気層の屈折率は、前記前面導光板４２０の屈折率や背面導光板４３０の屈折率と異なるので、 ランプ４１０から提供される光を屈折させて、より柔らかな平滑性光を出射させる。
【０１０６】
図２７では、前記前面凹部４２２と背面凹部４３２は、同じ方向で伸張されることを説明したが、互いに直交するように配置されることもできる。
【０１０７】
前記カバー部４４０は支持部４４２及びランプカバー４４４を含み、前記ランプ４１０を収納し、前記背面導光板４３０及び前面導光板４２０を結合する。前記支持部４４２とランプカバー４４４は、スクリューを用いて締結されることもでき、フック方式を用いて結合されることもでき、磁石を用いて締結されることもできる。前記支持部４４２には、複数のスクリュー締結ホールが形成される。
【０１０８】
具体的に、前記背面導光板４３０に接する面には、前面導光板４２０を経由して挿入されるスクリューとの締結のためのスクリュー締結ホールが形成される。又、前記背面導光板４３０で一定間隔離隔する突出部には、前記背面導光板４３０を経由して、前面導光板４２０とのスクリュー締結のためのスクリュー締結ホールが形成される。これによって、−ｚ軸方向で照明器具４００を観察すると、スクリューのヘッドや本体が観察されるが、ｚ軸方向で照明器具４００を観察すると、ランプカバー４４４によりスクリューのヘッドや本体は観察されない。
【０１０９】
図示していないが、前記カバー部４４０には、前記ランプ４１０に電源を供給する電源供給装置、前記電源供給装置とランプ１１０を連結するランプワイヤーが収納される。
【０１１０】
前記した本発明の第８実施例による照明器具によると、前面導光板と背面導光板を通じて平滑性光が出射されるので、シャンデリアとして用いられることもでき、壁と天井とが合う角部分等に配置され用いられることもできる。
【０１１１】
（実施例９）
図２８は、本発明の第９実施例による照明器具の分解斜視図である。特に、スタンド型ランプカバーを有する照明器具の一例を図示する。図２８を参照すると、本発明の第９実施例による照明器具５００は、ランプ５１０、第１、第２、第３、及び第４照明部材５２２、５２４、５２６、５２８、第１、第２、第３、及び第４結合部材５３２、５３４、５３６、５３８、及び複数のスクリュー５４０を含む。説明の便宜のために、ランプ５１０、第１乃至第４結合部材５３２、５３４、５３６、５３８は、相対的に誇張して示した。前記ランプ５１０は、ｚ軸と平行に配置される。
【０１１２】
前記第１乃至第４照明部材５２２、５２４、５２６、５２８は、前記ランプ５１０の本体に対応するように配置される。図示していないが、前記第１乃至第４照明部材５２２、５２４、５２６、５２８のそれぞれには、２つの導光板が具備され、互いに接する導光板の面には、凹部が形成される。前記凹部は、前記ランプ５１０の法線方向に形成される。前記凹部は、ランプ５１０に近いほど浅く、ランプ５１０から離れるほど深いＶ字形状の溝である。
【０１１３】
前記第１、第２、第３、及び第４結合部材５３２、５３４、５３６、５３８は、互いに隣接する照明部材５２２、５２４、５２６、５２８間にそれぞれ配置される。
【０１１４】
複数のスクリュー５４０は、前記した結合部材を貫通して照明部材に締結されることもでき、前記した結合部材及び照明部材を貫通して向かい合う結合部材に締結されることもできる。
【０１１５】
図２８では、照明器具が互いに直交する４つの照明部材を有することを説明したが、照明器具が３つの照明部材を有するように具現することもでき、照明器具が５つ又はその以上の照明部材を有するように具現することもできる。
【０１１６】
図２９は、本発明の第１０実施例による照明器具の斜視図である。図２９を参照すると、本発明の第１０実施例による照明器具はｘ−ｙ平面上に配置された三つの導光部（ＬＧＰ）、前記導光部（ＬＧＰ）間に配置されながらｙ軸方向に延びられた二つの収納部（ＲＣＳ）を含む。
【０１１７】
前記三つの導光部（ＬＧＰ）は、互いに重なる二枚の導光板で構成され、各導光板の接する面には収納部（ＲＣＳ）のランプから出射された光をより柔らかく均一な平滑性光に変換させるためにランプの長手方向と垂直な、即ち、光の出射方向と平行なＶ字形状の溝が形成される。前記Ｖ字形状の溝は前記収納部（ＲＣＳ）のランプに近いほど浅く、前記収納部（ＲＣＳ）から遠いほど深い。
【０１１８】
前記収納部（ＲＣＳ）は、ランプ、外部から提供される電源を前記ランプに供給するランプワイヤー、前記ランプをガイドし、前記ランプの一部を露出させながら導光部（ＬＧＰ）のエッジに固定させるカバー部を含む。前記ランプは、導光部（ＬＧＰ）のエッジに対応する一字型ランプであることもでき、前記導光板（ＬＧＰ）のエッジに対応して配列された複数のＬＥＤであることもできる。図示していないが、外部から提供される電源をランプ用電源に変換させる電源変換装置を更に含むことは自明である。勿論、前記電源変換装置は、安定化装置を更に含むことは自明である。
【０１１９】
図２９では、前記収納部（ＲＣＳ）が前記導光部（ＬＧＰ）間に配置されたことを示したが、前記収納部（ＲＣＳ）は前記導光部（ＬＧＰ）の背面に配置され、前記導光部（ＬＧＰ）を収納しながら前記導光部（ＬＧＰ）の前面部を露出させるように拡張させて具現することもできる。
図２９に示した照明器具は、−ｚ軸方向にワイヤー（図示せず）が引出されると、天井などに固定され、＋ｚ軸方向に平滑性光を発散する。
【０１２０】
以上、本発明の実施例を詳細に説明したが、本発明はこれに限定されず、本発明が属する技術分野において通常の知識を有するものであれば本発明の思想と精神を離れることなく、本発明を修正又は変更できる。
【産業上の利用可能性】
【０１２１】
本発明による照明器具は、前面導光板の前面凹部によって、光源の光を観察者の視野に刺激がなく、柔らかで均一な平滑性光に変換して出射することができる。従って、従来技術の問題点である光の波長が短く、一定距離内でのみ光が明るく、光が遠く発散されるほど、暗くなる等の問題点を解決することができる。
又、光が均一に外部に提供されるので、一部が明るく、いかなる部分は暗い等の従来技術の問題点を解決することができる。
【０１２２】
又、背面導光板の背面凹部によって、光源の光を外部に強く明るく提供できる。又、前面導光板の前面凹部を横方向に構成し、背面導光板の背面凹部を縦方向に構成して結合することにより、光源から発散された光の輝度が低減されず、全ての方向に均一に光が出射される。
【０１２３】
光の輝度が低減することを防止できるので、消費電力を減少させることができる。又、照明器具のスリム化が可能なので、建築物の建築層数の増築及び建築工事費の低減に寄与することができる。
【図面の簡単な説明】
【０１２４】
【図１】本発明の第１実施例による照明器具の分解斜視図である。
【図２】図１に示した照明器具の結合斜視図である。
【図３】横方向の前面凹部と縦方向の背面凹部の結合状態を示す拡大図である。
【図４】図１に示した前面導光板の正面図である。
【図５】図４に示した前面導光板のＩ−Ｉ’に沿った断面図である。
【図６】図４に示した前面導光板のＩＩ−ＩＩ’に沿った断面図である。
【図７】図４に示した前面導光板のＩＩＩ−ＩＩＩ’に沿った断面図である。
【図８】図４に示した前面導光板のＩＶ−ＩＶ’に沿った断面図である。
【図９】図１に示した背面導光板の正面図である。
【図１０】図９に示した背面導光板のＶ−Ｖ’に沿った断面図である。
【図１１】図９に示した背面導光板のＩＶ−ＩＶ’に沿った断面図である。
【図１２】本発明の第２実施例による照明器具の分解斜視図である。特に、複数の前面導光板と複数の背面導光板を用いることを示す。
【図１３】本発明の第３実施例による照明器具の分解斜視図である。
【図１４】本発明の第４実施例による照明器具の分解斜視図である。
【図１５】本発明の第５実施例による照明器具の概略斜視図である。
【図１６】本発明の第５実施例による照明器具の分解斜視図である。
【図１７】図１６に示した照明器具の断面図である。
【図１８】図１６に示した前面凹部と背面凹部を説明するための抜粋斜視図である。
【図１９】図１６に示した照明器具による光経路を概念的に説明する概略図である。
【図２０】本発明の第６実施例による照明器具の概略斜視図である。
【図２１】本発明の第６実施例による照明器具の分解斜視図である。
【図２２】図２１に示した照明器具の断面図である。
【図２３】図２１に示したランプカバーを説明するための背面斜視図である。
【図２４】本発明の第７実施例による照明器具の分解斜視図である。
【図２５】図２４に示した照明器具の断面図である。
【図２６】本発明の第８実施例による照明器具の概略斜視図である。
【図２７】本発明の第８実施例による照明器具の分解斜視図である。
【図２８】本発明の第９実施例による照明器具の分解斜視図である。
【図２９】本発明の第１０実施例による照明器具の概略斜視図である。
【符号の説明】
【０１２５】
１    前面ケース
２、２ａ、１３０、２２０、２３０    前面導光板
３、３ａ、１４０、２４０、２５０    背面導光板
４    反射シート
５    背面ケース
６、６１、６２    カバー
７、７ａ、１１０、１２０、２１０、５１０    光源
８、８ａ、８ｂ、８ｃ、８ｄ、８ｅ    スクリュー
９    フレーム
１０    照明器具
１２    挿入部
１３、１４、５２、５３、６３、６３ａ、６４、６４ａ     スクリュー締結ホール
２２、２２ａ    前面凹部
２３    前面第１凹部
２４    前面第２凹部
２５、２５ａ    前面突出部
３１    本体
３２、３２ａ    背面凹部
３３、３３ａ    背面突出部
６５    電源コード
９１    左側フレーム
９２    右側フレーム
９３、９４    装飾
１５０、３６０    反射板
１６０、１７０、２６０、４４０    カバー部
５２２、５２４、５２６、５２８    照明部材
５３２、５３４、５３６、５３８    結合部材
【図１】
2005216860.tif 000003
【図２】
2005216860.tif 000004
【図３】
2005216860.tif 000005
【図４】
2005216860.tif 000006
【図５】
2005216860.tif 000007
【図６】
2005216860.tif 000008
【図７】
2005216860.tif 000009
【図８】
2005216860.tif 000010
【図９】
2005216860.tif 000011
【図１０】
2005216860.tif 000012
【図１１】
2005216860.tif 000013
【図１２】
2005216860.tif 000014
【図１３】
2005216860.tif 000015
【図１４】
2005216860.tif 000016
【図１５】
2005216860.tif 000017
【図１６】
2005216860.tif 000018
【図１７】
2005216860.tif 000019
【図１８】
2005216860.tif 000020
【図１９】
2005216860.tif 000021
【図２０】
2005216860.tif 000022
【図２１】
2005216860.tif 000023
【図２２】
2005216860.tif 000024
【図２３】
2005216860.tif 000025
【図２４】
2005216860.tif 000026
【図２５】
2005216860.tif 000027
【図２６】
2005216860.tif 000028
【図２７】
2005216860.tif 000029
【図２８】
2005216860.tif 000030
【図２９】
2005216860.tif 000031